(57)【要約】【課題】意匠性、耐用性等に優れ、ベランダやテラス等室外の下地の平面部や垂直部に連続させて簡単に貼着することができる面台用シートとベランダ用シートとそれ等を下地に貼着し長期に亘り安心して使用することができる貼設構造を提供することを目的とする。【解決手段】熱可塑性の合成樹脂又は／及びゴムを主成分とする短冊状の床用シートであって、少なくともその一端部の表又は／及び裏面に、短冊長辺に平行する複数の切り欠き溝を所定の間隔で設ける。【選択図】図１
2008088651.tif 000002
【特許請求の範囲】
【請求項１】
熱可塑性の合成樹脂又は／及びゴムを主成分とする短冊状の床用シートであって、少なくともその一端部の表又は／及び裏面に、短冊長辺に平行する複数の切り欠き溝を所定の間隔で設けたことを特徴とする面台用シート。
【請求項２】
短冊長辺の他端部に一体化させて帯状の同様な成分からなる延設シートを設け、少なくともその接続部の表又は／及び裏面に、短冊長辺に平行する複数の切り欠き溝を所定の間隔で設けたことを特徴とする請求項1に記載の面台用シート。
【請求項３】
切り欠き溝に直交し切り欠き溝以上の深さを有する排水溝を、少なくともその短冊両長辺を通して所定の間隔でシート表面に設けたことを特徴とする請求項１又は請求項２に記載の面台用シート。
【請求項４】
熱可塑性の合成樹脂又は／及びゴムを主成分とする矩形状の床用シートであって、少なくともその一辺側に偏向させて、一辺に平行する複数の切り欠き溝を表又は／及び裏面に所定の間隔で設けたことを特徴とするベランダ用シート。
【請求項５】
偏向側の矩形一端部に一体化させて帯状の同様な成分からなる延設シートを設け、少なくともその接続部の表又は／及び裏面に、その矩形一端辺に平行する複数の切り欠き溝を所定の間隔で設けたことを特徴とする請求項４に記載のベランダ用シート。
【請求項６】
切り欠き溝に直交し切り欠き溝以上の深さを有する排水溝を、少なくともその矩形一端辺と向き合う他端辺とを通して所定の間隔でシート表面に設けたことを特徴とする請求項４又は請求項５に記載のベランダ用シート。
【請求項７】
上記請求項１ないし請求項３のいずれかに記載された面台用シートを、面台平面から段差で前垂れさせ、且つ、熱可塑性の合成樹脂又は／及びゴムを主成分とする、面台用シートと同系色又は釣り合う模様を有する床用シートを、ベランダ平面の一端から他端まで連続させて、双方を床シート用接合剤で貼着したことを特徴とする貼設構造。
【請求項８】
上記請求項２又は請求項３の面台用シートの延設シートを、面台平面の上端から室内外の出入り口基礎部の上端まで連続させて、床シート用接合剤で貼着したことを特徴とする請求項７に記載の貼設構造。
【請求項９】
上記請求項４ないし請求項６のいずれかに記載されたベランダ用シートを、面台平面から段差で前垂れさせ、且つ、ベランダ平面の一端から他端まで連続させて、床シート用接合剤で貼着したことを特徴とする貼設構造。
【請求項１０】
上記請求項５又は請求項６のベランダ用シートの延設シートを、面台平面の上端から室内外の出入り口基礎部の上端まで連続させて、床シート用接合剤で貼着したことを特徴とする請求項９に記載の貼設構造。
【発明の詳細な説明】
【技術分野】
【０００１】
本発明は、ベランダやテラス等室外の床面、特に、床面の段差部を連続させて貼着する面台用シート及びベランダ用シートとそれ等の貼設構造に関するものである。
【背景技術】
【０００２】
従来から、室内外を問わず階段の段差部を連続させて貼着する熱可塑性の合成樹脂又は／及びゴムを主成分とする矩形状の床用シートとその貼設構造は、多種多様な形態で提案され使用されている。
【０００３】
それ等の代表例として、当出願人が提案した階段を昇降する際の衝撃の緩和及び騒音の低減の性能が高く、意匠性に優れた階段用床材を提供するために、階段用床材の基材層の表面にフロック加工によりパイルを植毛するとともに、踏み面部に延設した蹴上げ部を踏み面部に対して略９０°折り曲げてコーナ部を形成した階段用床材が特許文献1に、室内階段に一体化させて使用する室内階段用床材であって、防滑性や防音性、視認性に優れるとともに、住人に温かみを感じさせ、かつ敷設に手間を要しない室内階段用床材を提供するために、階段の踏み面から蹴上げに亘って貼り付けて使用する室内階段用床材において、合成樹脂からなる下地に、少なくとも踏み面部にシート状の繊維部材を積層するとともに、踏み面部から延設した蹴上げ部を踏み面部に対して略直角に折り曲げてコーナ部を形成し、少なくともコーナ部の踏み面側部分の表面にエンボス加工を施すようにした室内階段用床材が特許文献２に、他に、位置ずれを起こさず、滑り止め層が剥離しない、階段用ゴム製ノンスリップタイルの提供を目的として、階段用ゴム製ノンスリップタイルは、踏み板部と滑り止め部と係合部とよりなり、踏み板部が段差部の上面の中央部を覆い、滑り止め部が段差部の縁部の上面を覆い、係合部が段差部の縁部の縦面と係合し、滑り止め部は踏み板部よりも上方に突出しており、Ｕ字形状の溝によって分けられた突起部とに分けられ、突起部上に滑り止め層が加硫層により加硫接着されている。滑り止め層には基材と基材上の接着層よりなり、接着層の表面に鉱物粒子を含んでいる階段用ゴム製ノンスリップタイル及びその製造方法が特許文献３にそれぞれ開示されている。
【０００４】
しかしながら、前記特許文献１、２及び３で開示されている床用シート、タイル等とそれ等の貼設構造は、高い段差の蹴上げ部が連続する階段に限定されて適応される物であり、他方、ベランダやテラス等室外の床面、特に、それ等床面に存在する低い段差部を連続させて貼着する面台用シート及びベランダ用シートとそれ等の貼設構造に係る提案はなされていない。
【特許文献１】特開２００３−４１７３２号公報
【特許文献２】特開平１０−３３１３７４号公報
【特許文献３】特開２０００−３８８２１号公報
【発明の開示】
【発明が解決しようとする課題】
【０００５】
本発明は、上記の床用シート、タイル等とそれ等の貼設構造等の有する問題点に鑑みてなしたものであり、意匠性、耐用性等に優れ、ベランダやテラス等室外の床面、特に、それ等床面に存在する低い段差部を連続させて簡単に貼着することができる面台用シート及びベランダ用シートと、長期に亘り使用することができるそれ等面台用シート及びベランダ用シートの貼設構造を提供することを目的とする。
【課題を解決するための手段】
【０００６】
上記目的を達成するため、本発明の面台用シートは、熱可塑性の合成樹脂又は／及びゴムを主成分とする短冊状の床用シートであって、少なくともその一端部の表又は／及び裏面に、短冊長辺に平行する複数の切り欠き溝を所定の間隔で設けたことを特徴とする。
【０００７】
この場合、短冊長辺の他端部に一体化させて帯状の同様な成分からなる延設シートを設け、少なくともその接続部の表又は／及び裏面に、短冊長辺に平行する複数の切り欠き溝を所定の間隔で設けること、また、切り欠き溝に直交し切り欠き溝以上の深さを有する排水溝を、少なくともその短冊両長辺を通して所定の間隔でシート表面に設けることができる。
【０００８】
また、上記目的を達成するため、本発明のベランダ用シートは、熱可塑性の合成樹脂又は／及びゴムを主成分とする矩形状の床用シートであって、少なくともその一辺側に偏向させて、一辺に平行する複数の切り欠き溝を表又は／及び裏面に所定の間隔で設けたことを特徴とする。
【０００９】
この場合、偏向側の矩形一端部に一体化させて帯状の同様な成分からなる延設シートを設け、少なくともその接続部の表又は／及び裏面に、その矩形一端辺に平行する複数の切り欠き溝を所定の間隔で設けること、また、切り欠き溝に直交し切り欠き溝以上の深さを有する排水溝を、少なくともその矩形一端辺と向き合う他端辺とを通して所定の間隔でシート表面に設けることができる。
【００１０】
さらに、上記目的を達成するため、本発明の貼設構造は、請求項１ないし請求項３のいずれかに記載された面台用シートを、面台平面から段差で前垂れさせ、且つ、熱可塑性の合成樹脂又は／及びゴムを主成分とする、面台用シートと同系色又は釣り合う模様を有する床用シートを、ベランダ平下地の一端から他端まで連続させて、双方を床シート用接合剤で貼着したことを特徴とする。
【００１１】
この場合、請求項２又は請求項３の面台用シートの延設シートを、面台平面の上端から室内外の出入り口基礎部の上端まで連続させて、床シート用接合剤で貼着してもよい。
【００１２】
また、上記目的を達成するため、本発明の貼設構造は、請求項４ないし請求項６のいずれかに記載のベランダ用シートを、面台平面から段差で前垂れさせ、且つ、ベランダ平面の一端から他端まで連続させて、床シート用接合剤で貼着したことを特徴とする。
【００１３】
この場合、請求項５又は請求項６のベランダ用シートの延設シートを、面台平面の上端から室内外の出入り口基礎部の上端まで連続させて、床シート用接合剤で貼着してもよい。
【発明の効果】
【００１４】
本発明の面台用シートは、熱可塑性の合成樹脂又は／及びゴムを主成分とする短冊状の床用シートであって、少なくともその一端部の表又は／及び裏面に、短冊長辺に平行する複数の切り欠き溝を所定の間隔で設けることで、切り欠き溝を面台部の出隅に合わせれば簡単に曲折でき、面台平面からその段差面の下地に沿わせて容易に貼着させることができる。
【００１５】
この場合、短冊長辺の他端部に一体化させて帯状の同様な成分からなる延設シートを設け、少なくともその接続部の表又は／及び裏面に、短冊長辺に平行する複数の切り欠き溝を所定の間隔で設けることで、同様に簡単に曲折することができ、延設シートを連続させて室内外出入り口の基礎部の入り隅、出隅の段差面からその平部の上端の下地に沿わせて容易に貼着させることができ、また、切り欠き溝に直交し切り欠き溝以上の深さを有する排水溝を、少なくともその短冊両長辺を通して所定の間隔でシート表面に設けることで、貼着後の排水性能が著しく向上する。
【００１６】
また、本発明のベランダ用シートは、熱可塑性の合成樹脂又は／及びゴムを主成分とする矩形状の床用シートであって、少なくともその一辺側に偏向させて、一辺に平行する複数の切り欠き溝を表又は／及び裏面に所定の間隔で設けることで、切り欠き溝を面台部の入り隅、出隅に合わせれば簡単に曲折でき、面台平面、その段差面からベランダ平面に至るコンクリート下地全面に沿わせて容易に貼着させることができる。
【００１７】
この場合、偏向側の矩形一端部に一体化させて帯状の同様な成分からなる延設シートを設け、少なくともその接続部の表又は／及び裏面に、その矩形一端辺に平行する複数の切り欠き溝を所定の間隔で設けることで、同様に簡単に曲折することができ、延設シートを連続させて室内外出入り口の基礎部の入り隅、出隅の段差面からその平部の上端の下地に沿わせて容易に貼着させることができ、また、切り欠き溝に直交し切り欠き溝以上の深さを有する排水溝を、少なくともその矩形一端辺と向き合う他端辺とを通して所定の間隔でシート表面に設けることで、貼着後の排水性能が著しく向上する。
【００１８】
さらに、本発明の貼設構造は、請求項１ないし請求項３の面台用シートを、面台平面から段差で前垂れさせ、且つ、熱可塑性の合成樹脂又は／及びゴムを主成分とする、面台用シートと同系色又は釣り合う模様を有する床用シートを、ベランダ平面の一端から他端まで連続させて、双方を床シート用接合剤で貼着したことで、合成樹脂やゴムの弾力性、柔軟性等により踏み心地感が向上し且つ踏み圧による騒音を軽減させ、面台平面、その段差面からベランダ平面に至るコンクリート下地の全面の腐食を長期に亘り防止すると共に、ベランダの意匠性を向上させて見栄えを良くすることができる。
【００１９】
この場合、請求項２又は請求項３の面台用シートの延設シートを、面台平面の上端から室内外の出入り口基礎部の上端まで連続させて、床シート用接合剤で貼着したことで、上記作用効果に加え、面台部の上端から室内外の出入り口基礎部の上端までの全下地の腐食を長期に亘り防止する。
【００２０】
また、本発明の貼設構造は、請求項４ないし請求項６のいずれかに記載されたベランダ用シートを、面台平面から段差で前垂れさせ、且つ、ベランダ平面の一端から他端まで連続させて、床シート用接合剤で貼着したことで、合成樹脂やゴムの弾力性、柔軟性等により踏み心地感が向上し且つ踏み圧による騒音を軽減させ、面台平面、その段差面からベランダ平面に至るコンクリート下地全面の腐食を長期に亘り防止する。
【００２１】
この場合、請求項５又は請求項６のベランダ用シートの延設シートを、面台平面の上端から室内外の出入り口基礎部の上端まで連続させて、床シート用接合剤で貼着したことで、上記作用効果に加え、面台平面の上端から室内外の出入り口基礎部の上端までの下地の腐食を長期に亘り防止する。
【発明を実施するための最良の形態】
【００２２】
以下、本発明の面台用シート１及びベランダ用シート２とそれ等の貼設構造６の実施形態を、図１〜図７の図面に基づいて説明する。
【実施例１】
【００２３】
図１に、本発明の面台用シート１の第１実施例をその側面図で示す。
この第１実施例における面台用シート１は、熱可塑性の合成樹脂又は／及びゴムを主成分とする短冊状の床用シートの一端部側の表面に、短冊長辺に平行する複数の切り欠き溝１０を所定の間隔で設け、この切り欠き溝１０を境に面台平面部１２と前垂れ部１３としたものであり、同図の点線部はこの前垂れ部１３を、切り欠き溝１０のところで略９０度下方に曲折した状態を示している。
この第１実施例の場合、図示省略するが、切り欠き溝１０の任意数を、所定の間隔で床用シートの裏面に、表面と裏面に順次繰り返し設けてもよい。
【実施例２】
【００２４】
図２に、本発明の面台用シート１の第２実施例をその側面図で示す。
この第２実施例における面台用シート１は、上記短冊状の床用シートの短冊長辺の他端部に一体化させて帯状の同様な成分からなる延設シート１４を設け、少なくともその接続部の表面に、短冊長辺に平行する複数の切り欠き溝１０を所定の間隔で設け、この内所定の二つの切り欠き溝１０を境に延設シート１４を延設垂直部１５と延設水平部１６にしたものであり、同図点線部は、接続部の切り欠き溝１０のところで略９０度上方に曲折し、次いで略９０度水平方向に曲折した状態を示している。
この第２実施例の場合も同様に、切り欠き溝１０の任意数を、所定の間隔で床用シートの裏面に、表面と裏面に順次繰り返し設けてもよい。
【実施例３】
【００２５】
図３に、本発明の面台用シート１の第３実施例をその平面図で示す。
この第３実施例における面台用シート１は、上記第１実施例で示した面台用シート１において、切り欠き溝１０に直交し切り欠き溝１０以上の深さを有する排水溝１１を、その短冊両長辺を通して所定の間隔で床用シートの表面に設けたものである。
この場合、切り欠き溝１０に直交する排水溝１１は床用シートの表面において切り欠き溝１０以上の深さを有し切り欠き溝１０を貫けばよく、その配置は特に限定されるものではない。
【実施例４】
【００２６】
図４に、本発明のベランダ用シート２の一形態を第４実施例としてその側面図で示す。
この第４実施例におけるベランダ用シート２は、熱可塑性の合成樹脂又は／及びゴムを主成分とする矩形状の床用シートであって、少なくともその一辺側に偏向させて、一辺に平行する複数の切り欠き溝１０を表面に所定の間隔で設け、この内所定の二つの切り欠き溝１０を境に面台平面部１２と前垂れ部１３とベランダ平面部２０としたものであり、同図点線部は、所定の二つの切り欠き溝１０を軸心にして略９０度上方に曲折し、次いで略９０度水平方向に曲折した状態を示している。
この第４実施例の場合、図示省略するが、切り欠き溝１０の任意数を、所定の間隔で床用シートの裏面に、表面と裏面に順次繰り返し設けてもよい。
【実施例５】
【００２７】
図５に、本発明のベランダ用シート２の他の形態を第５実施例としてその側面図で示す。
この第５実施例におけるベランダ用シート２は、偏向側の矩形一端部に一体化させて帯状の成分からなる延設シート１４を設け、少なくともその接続部の表面に、その矩形一端辺に平行する複数の切り欠き溝１０を所定の間隔で設けたものであり、同図点線部は、所定の二つの切り欠き溝１０のところで略９０度上方に曲折し、次いで略９０度水平方向に曲折し、さらに、延設シート１４との接続部の切り欠き溝１０を軸心にして略９０度上方に曲折し、次いで略９０度水平方向に曲折した状態を示している。
この第５実施例の場合も同様に、切り欠き溝１０の任意数を、所定の間隔で床用シートの裏面に、表面と裏面に順次繰り返し設けてもよい。
【実施例６】
【００２８】
図６に、本発明のベランダ用シート２の更に他の形態を第６実施例としてその平面図で示す。
この第６実施例におけるベランダ用シート２は、上記図５で示した実施例において、切り欠き溝１０に直交し切り欠き溝１０以上の深さを有する排水溝１１を、少なくともその矩形一端辺と向き合う他端辺とを通して所定の間隔で床シート表面に設けたものである。
この場合、切り欠き溝に直交する排水溝１１は床用シートの表面において切り欠き溝１０以上の深さを有し切り欠き溝１０を貫けばよく、その配置は特に限定されるものではない。
【００２９】
このような面台用シート１やベランダ用シート２は、特に限定されないが厚さ２〜５ｍｍで、天然、人工のゴム類、軟質、半軟質、硬質の任意の熱可塑性合成樹脂、好ましくは、塩化ビニル、酢酸ビニル等のビニル系樹脂、ポリエチレン、ポリプロピレン等のオレフィン系樹脂、そのエラストマー類、エチレン−酢酸ビニル等の共重合体樹脂等の合成樹脂類、ゴム類とこれ等合成樹脂類の混合によって好適に形成され、その商品設計に応じて、耐候、耐熱、親水等機能を付与する剤材が添加されることになる。
また、このような剤材の着色や成形は公知の手段で容易にできることから、適宜表面に凹凸模様や色模様を施すことで、その意匠性や防滑性を向上させることができる。
【００３０】
そして、このような剤材を使用しこのような形状に成形された本発明の面台用シート１やベランダ用シート２は、切り欠き溝１０を面台平面の出隅に合わせれば合成樹脂やゴムの弾力性、柔軟性等により簡単に曲折でき、面台平面部１２を平面からその段差面の下地に沿わせて容易に貼着させることができ、また、延設シートを連続させて室内外出入り口の基礎部の入り隅、出隅の段差面からその平部の上端の下地に沿わせて容易に貼着させることができ、さらに、貼着後において、その排水性能が著しく向上させると共に長期に亘る使用を可能にさせることになる。
【実施例７】
【００３１】
図７に、本発明の貼設構造を第７実施例として断面図で示す。
この第７実施例は、サッシドア３８出入り口基礎部３５とこの平面部３７と垂直部３６、面台平面３２とその出隅３４と入り隅３３、ベランダ平面３０、側溝４、落下防止柵５と連続するコンクリート下地３の面台平面３２とその出隅３４と入り隅３３部位の段差で面台用シート１を前垂れさせて床シート用接合剤７で貼着し、従来から一般的に使用されている熱可塑性の合成樹脂又は／及びゴムを主成分とする、上記面台用シート１と同系色又は釣り合う模様を有する床用シート８をベランダ平面３０の一端から他端まで連続させて同様な床シート用接合剤７で貼着した貼設構造６である。
この場合、床シート用接合剤７として、図７で示すように接着剤７０、粘着剤７１、シーリング剤７２等を適宜選択して使用することによって、コンクリート下地３の腐食は防止され、その面台用シート１の貼設構造は丈夫で長持ちすることになる。
【００３２】
上記は、請求項１の面台用シート１をコンクリート下地３に貼着した貼設構造の一実施例であり、本発明の貼設構造は、その他に図示省略するが、請求項２や請求項３の面台用シート１を同様な手段でコンクリート下地３に貼着でき、且つ、請求項４や請求項５や請求項６のベランダ用シートを同様な手段でコンクリート下地３のそれぞれ部位に貼着できるものである。
【００３３】
そして、このように構成された本発明の貼設構造は、合成樹脂やゴムの弾力性、柔軟性等により踏み心地感が向上し且つ踏み圧による騒音を軽減させ、面台平面３２、その段差面からベランダ平面３０に至る下地の腐食を長期に亘り防止し、また、面台平面３２の上端から室内外の出入り口基礎部３５の上端までの下地の腐食を長期に亘り防止し、このように段差面を含むコンクリート下地３全面の腐食を長期に亘り防止することになる。また、面台用シート１と同系色又は釣り合う模様を有する床シート８によって、ベランダの意匠性を向上させ、見栄えを良くすることもできる。
【産業上の利用可能性】
【００３４】
本発明の面台用シート１及びベランダ用シート２とそれ等の貼設構造６は、マンション等のベランダの他、段差を有する共同廊下やテラス等にも広く且つ好適に用いることができる。
【図面の簡単な説明】
【００３５】
【図１】本発明の面台用シートの実施例を示す側面図である。
【図２】本発明の面台用シートの他の実施例を示す側面図である。
【図３】本発明の面台用シートの更に他の実施例を示す平面図である。
【図４】本発明のベランダ用シートの実施例を示す側面図である。
【図５】本発明のベランダ用シートの他の実施例を示す側面図である。
【図６】本発明のベランダ用シートの更に他の実施例を示す平面図である。
【図７】本発明の貼設構造の実施例を示す断面図である
【符号の説明】
【００３６】
１    面台用シート
１０  切り欠き溝
１１  排水溝
１２  面台平面部
１３  前垂れ部
１４  延設シート
１５  延設垂直部
１６  延設平面部
２    ベランダ用シート
２０  ベランダ平面部
３    コンクリート下地
３０  ベランダ平面
３２  面台平面
３３  入り隅
３４  出隅
３５  出入り口の基礎部
３６  垂直部
３７  平面部
３８  サッシドア
４    側溝
５    落下防止柵
６    貼設構造
７    床シート用接合剤
７０  接着剤
７１  粘着剤
７２  シーリング剤
８    床シート
【図１】
2008088651.tif 000003
【図２】
2008088651.tif 000004
【図３】
2008088651.tif 000005
【図４】
2008088651.tif 000006
【図５】
2008088651.tif 000007
【図６】
2008088651.tif 000008
【図７】
2008088651.tif 000009